(57)【要約】免許不要な帯域（アンライセンスバンド）での運用において、信号を適切に送受信する移動局、基地局、送信方法、および、受信方法の提供に資する。移動局２００において、上り信号を送信する送信部２０５と、上り信号の送信に使用可能な第１のリソースの量を表す第１の数が、特定の第２の数と異なる第３の数を素因数に含む場合、第２のリソースを用いた、第３の数を素因数に含まない第４の数の信号の送信を制御する制御部２０１と、を備える。
2020090998.tif 000002
【特許請求の範囲】
【請求項１】
上り信号を送信する送信回路と、
前記上り信号の送信に使用可能な第１のリソースの量を表す第１の数が、特定の第２の数と異なる第３の数を素因数に含む場合、第２のリソースを用いた、前記第３の数を素因数に含まない第４の数の信号の送信を制御する制御回路と、
を備えた移動局。
【請求項２】
変調信号の離散フーリエ変換を行い、前記信号を出力する離散フーリエ変換器と、
前記信号を前記第２のリソースにマッピングし、前記上り信号を出力する信号割当回路と、
を備え、
前記制御回路は、前記変調信号の数を前記第４の数に設定し、前記第１の数と前記第４の数とに基づいて前記第２のリソースを設定する、
請求項１に記載の移動局。
【請求項３】
前記制御回路は、前記第１の数が前記第４の数より大きい場合、前記第１のリソースから第３のリソースを除外したリソースを前記第２のリソースに設定する、
請求項１に記載の移動局。
【請求項４】
前記制御回路は、前記第３のリソースの少なくとも一部を、前記信号の一部を繰り返し送信するリソースに設定する、
請求項３に記載の移動局。
【請求項５】
前記制御回路は、前記第１のリソースの中で、最も高い周波数帯域、および、最も低い周波数帯域の少なくともいずれかに位置するリソースを、前記第３のリソースに設定する、
請求項３に記載の移動局。
【請求項６】
前記制御回路は、前記第１のリソースの中で、最も高い周波数帯域、および、最も低い周波数帯域に位置しないリソースを、前記第３のリソースに設定する、
請求項３に記載の移動局。
【請求項７】
前記制御回路は、前記第１のリソースの中で、周波数軸において、所定の間隔毎に位置するリソースの一部を、前記第３のリソースに設定する、
請求項３に記載の移動局。
【請求項８】
前記制御回路は、前記第１の数が前記第４の数より小さい場合、前記第１のリソースを、前記第４の数の前記信号の一部を除外した信号を送信する前記第２のリソースに設定する、
請求項１に記載の移動局。
【請求項９】
前記制御回路は、前記第１のリソースと異なるリソースを、除外された前記信号を送信するリソースに設定する、
請求項８に記載の移動局。
【請求項１０】
前記制御回路は、前記第２のリソースを、サブキャリア単位又はサブキャリアグループ単位で決定する、
請求項１に記載の移動局。
【請求項１１】
前記制御回路は、前記第２のリソースを、物理リソースブロック（Physical Resource Block）単位で決定する、
請求項１に記載の移動局。
【請求項１２】
前記制御回路は、前記第２の数を素因数に含み、前記第３の数を素因数に含まない数の中で、前記第１の数に最も近い数を、前記第４の数に決定し、前記第１の数が前記第４の数よりも大きい場合と、前記第１の数が前記第４の数よりも小さい場合とで、送信処理を異ならせる、
請求項１に記載の移動局。
【請求項１３】
上り信号を受信する受信回路と、
前記上り信号の送信に使用可能な第１のリソースの量を表す第１の数が、特定の第２の数と異なる第３の数を素因数に含む場合、第２のリソースを用いた、前記第３の数を素因数に含まない第４の数の信号の受信を制御する制御回路と、
を備えた基地局。
【請求項１４】
前記第２のリソースにマッピングされた信号を分離する信号分離回路と、
前記分離された信号の逆離散フーリエ変換を行い、出力信号を出力する逆離散フーリエ変換回路と、
を備え、
前記制御回路は、前記出力信号の数を前記第４の数に設定し、前記第１の数と前記第４の数とに基づいて、前記第２のリソースを設定する、
請求項１３に記載の基地局。
【請求項１５】
上り信号の送信に使用可能な第１のリソースの量を表す第１の数が、特定の第２の数と異なる第３の数を素因数に含む場合、前記第３の数を素因数に含まない第４の数を設定し、
第２のリソースを用いた、前記第４の数の信号の送信を制御する、
送信方法。
【請求項１６】
上り信号の送信に使用可能な第１のリソースの量を表す第１の数が、特定の第２の数と異なる第３の数を素因数に含む場合、前記第３の数を素因数に含まない第４の数を設定し、
第２のリソースを用いた、前記第４の数の信号の受信を制御する、
受信方法。
【請求項１７】
上り信号を受信する受信回路と、
前記上り信号の送信に使用可能な第１のリソースを決定し、前記第１のリソースにおける、前記上り信号の受信処理を制御する制御回路と、
を備え、
前記第１のリソースは、所定の周波数帯域が分割された複数の帯域のうち、所定の間隔に位置する１つ以上の帯域を有し、
前記制御回路は、前記第１のリソースに含まれるリソースの量を表す数が、規定された第２の数と異なる第３の数を素因数に含まないように、前記１つ以上の帯域を前記第１のリソースに設定する、
基地局。
【請求項１８】
信号を送信する送信回路と、
使用可能な第１のリソースを用いた前記信号の送信処理を制御する制御回路と、
を備え、
前記第１のリソースは、所定の周波数帯域が分割された複数の帯域のうち、所定の間隔に位置する１つ以上の帯域を有し、
前記複数の帯域の少なくとも一部は、残りの一部と異なる帯域幅を有し、
前記第１のリソースに含まれるリソースの量を表す数は、規定された第２の数と異なる第３の数を素因数に含まない、
移動局。
【発明の詳細な説明】
【技術分野】
【０００１】
本開示は、移動局、基地局、送信方法及び受信方法に関する。
【背景技術】
【０００２】
第５世代移動通信システム（５Ｇ）と呼ばれる通信システムが検討されている。国際標準化団体である３ＧＰＰ(3rd Generation Partnership Project)では、ＬＴＥ（Long Term Evolution）およびＬＴＥ−Ａ（LTE-Advansed）システムの高度化と、ＬＴＥおよびＬＴＥ−Ａとは必ずしも後方互換性を持たない新しい方式であるＮＲ（ＮＥＷ  ＲＡＴ（New Radio access technology)）（例えば、非特許文献１）との両面から、５Ｇ通信システムの高度化が検討されている。【０００３】
ＮＲでは、免許の必要な帯域（licensed band）に加えて、ＬＴＥ−ＬＡＡ（License-Assisted Access）と同様に、免許不要な帯域（unlicensed band）での運用が検討されている（例えば、非特許文献２）。免許不要な帯域（unlicensed band）での運用は、例えば、ＮＲ−Ｕ（NR-based Access to Unlicensed Spectrum）とも呼ばれる。
【先行技術文献】
【特許文献】
【０００４】
【特許文献１】特開２０１２−９００１３号公報
【非特許文献】
【０００５】
【非特許文献１】RP-181726, “Revised WID on New Radio Access Technology”
【非特許文献２】RP-181339, “Revised SID on NR-based Access to Unlicensed Spectrum”
【非特許文献３】ETSI EN 301 893 V2.1.1
【非特許文献４】3GPP TS 38.101-1 V15.3.0
【非特許文献５】“Block-Interleaved Frequency Division Multiple Access and its Application in the Uplink of Future Mobile Radio Systems”, T. Frank
【非特許文献６】“LTE for 4G Mobile Broadband”, F. Khan
【非特許文献７】3GPP TS 38.211 V15.3.0
【発明の概要】
【０００６】
しかしながら、免許不要な帯域での運用において、信号の送受信方法については十分に検討がなされていない。
【０００７】
本開示の非限定的な実施例は、免許不要な帯域での運用において、信号を適切に送受信できる移動局、基地局、送信方法及び受信方法の提供に資する。
【０００８】
本開示の一実施例に係る移動局は、上り信号を送信する送信回路と、前記上り信号の送信に使用可能な第１のリソースの量を表す第１の数が、特定の第２の数と異なる第３の数を素因数に含む場合、第２のリソースを用いた、前記第３の数を素因数に含まない第４の数の信号の送信を制御する制御回路と、を備える。
【０００９】
本開示の一実施例に係る基地局は、上り信号を受信する受信回路と、前記上り信号の送信に使用可能な第１のリソースの量を表す第１の数が、特定の第２の数と異なる第３の数を素因数に含む場合、第２のリソースを用いた、前記第３の数を素因数に含まない第４の数の信号の受信を制御する制御回路と、を備える。
【００１０】
本開示の一実施例に係る送信方法は、上り信号の送信に使用可能な第１のリソースの量を表す第１の数が、特定の第２の数と異なる第３の数を素因数に含む場合、前記第３の数を素因数に含まない第４の数を設定し、第２のリソースを用いた、前記第４の数の信号の送信を制御する。
【００１１】
本開示の一実施例に係る受信方法は、上り信号の送信に使用可能な第１のリソースの量を表す第１の数が、特定の第２の数と異なる第３の数を素因数に含む場合、前記第３の数を素因数に含まない第４の数を設定し、第２のリソースを用いた、前記第４の数の信号の受信を制御する。
【００１２】
本開示の一実施例に係る基地局は、上り信号を受信する受信回路と、前記上り信号の送信に使用可能な第１のリソースを決定し、前記第１のリソースにおける、前記上り信号の受信処理を制御する制御回路と、を備え、前記第１のリソースは、所定の周波数帯域が分割された複数の帯域のうち、所定の間隔に位置する１つ以上の帯域を有し、前記制御回路は、前記第１のリソースに含まれるリソースの量を表す数が、規定された第２の数と異なる第３の数を素因数に含まないように、前記１つ以上の帯域を前記第１のリソースに設定する。
【００１３】
本開示の一実施例に係る移動局は、信号を送信する送信回路と、使用可能な第１のリソースを用いた前記信号の送信処理を制御する制御回路と、を備え、前記第１のリソースは、所定の周波数帯域が分割された複数の帯域のうち、所定の間隔に位置する１つ以上の帯域を有し、前記複数の帯域の少なくとも一部は、残りの一部と異なる帯域幅を有し、前記第１のリソースに含まれるリソースの量を表す数は、規定された第２の数と異なる第３の数を素因数に含まない。
【００１４】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１５】
本開示の一実施例によれば、免許不要な帯域での運用において、信号を適切に送受信できる。
【００１６】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１７】
【図１】ＬＴＥ  ＬＡＡにおけるインターレースの例を示す図
【図２】ＮＲ−Ｕにおけるインターレースの例を示す図
【図３】実施の形態１に係る基地局の一部の構成を示すブロック図
【図４】実施の形態１に係る移動局の一部の構成を示すブロック図
【図５】実施の形態１に係る基地局の構成を示すブロック図
【図６】実施の形態１に係る移動局の構成を示すブロック図
【図７】実施の形態１に係る基地局と移動局との間の動作シーケンスの一例を示す図
【図８】割り当てリソースの一例を示す図
【図９】ＮＲ−Ｕにおけるインターレースの別の例を示す図
【図１０】他の実施の形態２に係るインターレース構成の一例を示す図
【発明を実施するための形態】
【００１８】
以下、本開示の実施の形態について図面を参照して詳細に説明する。
【００１９】
上述したように、免許不要な帯域（例えば、７ＧＨｚより低い周波数帯）において、ＮＲシステムの運用が検討されている。
【００２０】
免許不要な帯域においては、法令および標準等により電力スペクトル密度（Power Spectral Density, 以下、ＰＳＤと記載することがある）の上限値が制限されている。例えば、ＥＴＳＩ（European Telecommunications Standards Institute, 欧州電気通信標準化機構）（例えば、非特許文献３）の標準によると、５ＧＨｚ帯と呼ばれる帯域におけるＰＳＤの上限値は、電力制御機能を持つ端末に対しても、例えば、１０ｄＢｍ／ＭＨｚ（帯域によっては１７ｄＢｍ／ＭＨｚ）の制限を課している。
【００２１】
ＰＳＤの制限下において、より高い送信電力を用いて信号を送信するためには、リソースを周波数領域において拡散させて配置するのが有効である。そこで、ＮＲ−Ｕでは、インターレース割り当てと呼ばれる割り当て手法が検討されている。
【００２２】
インターレース割り当てと呼ばれる割り当て手法によると、ある帯域（例えば、２０ＭＨｚ）は、複数のインターレースに分けられる。インターレースは、例えば、連続するサブキャリア群を複数有する。１つの連続するサブキャリア群は、例えば、１つの物理リソースブロック（Physical Resource Block, 以下、ＰＲＢと記載することがある）に相当する。そして、複数の連続するサブキャリア群は、周波数領域において等間隔または不等間隔に並ぶ。別言すれば、インターレースは、周波数領域において等間隔または不等間隔に並ぶ複数のＰＲＢを有する。
【００２３】
例えば、異なるインターレースは、異なるリソースを有する。つまり、異なるインターレース間では、リソースが重複しない。また、異なるインターレースには、異なる識別子が付されている。インターレースに付される識別子は、インターレースの番号と記載されることがある。
【００２４】
インターレース割り当てと呼ばれる割り当て手法は、例えば、上りリンクで使用される。基地局（例えば、Base Station、Node B、ｇＮＢと呼ぶこともある）は、移動局（例えば、端末またはＵＥ（User Equipment）と呼ぶこともある）に対して、１つまたは複数のインターレースの番号を通知することが考えられる。その場合、移動局は、通知されたインターレースの番号に対応するリソースに、信号を割り当てて送信することが考えられる。
【００２５】
図１は、ＬＴＥ  ＬＡＡにおけるインターレースの例を示す図である。図１の例では、２０ＭＨｚの帯域が、１０個のインターレースに分割される。１０個のインターレースには、それぞれ、０〜９のインターレースの番号が付されている。なお、以下では、番号がｉ（ｉは、０以上の整数）のインターレースは、インターレース＃ｉと記載することがある。
【００２６】
それぞれのインターレースは、周波数領域において等間隔に配置されたＰＲＢを有する。なお、各ＰＲＢ内の番号は、インターレースの番号を示す。異なる番号のインターレースが、同じＰＲＢを有することは無い。
【００２７】
６ＧＨｚより低い周波数帯に含まれる２０ＭＨｚの帯域における、最大ＰＲＢ割り当て数は、１５ｋＨｚ、３０ｋＨｚ、および、６０ｋＨｚのサブキャリア間隔（Subcarrier Spacing, 以下、ＳＣＳと記載することがある）に対して、それぞれ、１０６個、５１個、および、２４個とすることが、ＮＲでは検討されている（例えば、非特許文献４）。ＮＲで検討されている最大ＰＲＢ割り当て数は、ＬＴＥにおける最大ＰＲＢ割り当て数（すなわち、１００個）と異なる値である。
【００２８】
免許不要な帯域（例えば、７ＧＨｚより低い周波数帯）におけるＮＲシステムでは、上述した最大ＰＲＢ割り当て数に基づいて、インターレースの構成が検討されている。
【００２９】
例えば、３ＧＰＰでは、２０ＭＨｚの帯域がＭ個のインターレースに分割され、Ｍ個のインターレースのそれぞれは、Ｎ個のＰＲＢを有すると規定した場合のＭとＮとの複数の組み合わせが検討されている。ＭとＮは、インターレースの構成を示すパラメータの一例である。そして、最大ＰＲＢ割り当て数がＭの倍数でない場合には、あるインターレースが有するＰＲＢの数は、他のインターレースが有するＰＲＢの数よりも１つ大きいことが検討されている。
【００３０】
例えば、サブキャリア間隔が１５ｋＨｚの場合に、Ｍが１２であることが検討されている。サブキャリア間隔が１５ｋＨｚの場合、最大ＰＲＢ割り当て数が１０６個であり、１０６は、Ｍ＝１２の倍数では無い。そのため、サブキャリア間隔が１５ｋＨｚ、Ｍが１２の場合、あるインターレースが９個のＰＲＢを有し、他のインターレースが８個のＰＲＢを有することが検討されている。
【００３１】
上りリンクにおいて、移動局は、送信信号のＰＡＰＲ（ピーク対平均電力比：Peak to Average Power Ratio）を抑えるために、送信する信号にＤＦＴ（Discrete Fourier Transform）処理を施すことが考えられる（例えば、非特許文献５）。この場合、移動局は、インターレースのリソースに、ＤＦＴ処理後の信号をマッピングすることが考えられる。また、移動局がＤＦＴ処理後の信号を送信する場合、基地局では、受信処理において、ＩＤＦＴ（Inverse Discrete Fourier Transform）処理を施すことが考えられる。
【００３２】
ＦＦＴ（Fast Fourier Transform）を用いるＤＦＴ処理では、ＤＦＴサイズが、比較的小さな素数に素因数分解できる場合に、計算量が少なくなることが知られている（例えば、非特許文献６）。ＤＦＴサイズとは、例えば、ＤＦＴ処理後の出力の数に相当する。また、ＩＦＦＴ（Inverse Fast Fourier Transform）を用いるＩＤＦＴ処理では、ＤＦＴサイズと同じＩＤＦＴサイズが、比較的小さな素数に素因数分解できる場合に、計算量が少なくなることが知られている。そこで、ＮＲシステムの上りリンクにおいて、ＤＦＴ−Ｓ−ＯＦＤＭ（DFT - Spread - Orthogonal Frequency Division Multiplexing）の信号波形が使用される場合に、移動局に割り当てられるサブキャリア数は２、３および５のいずれか少なくとも１つの素因数を有する数であることが、条件の一例に指定される（例えば、非特許文献７）。別言すれば、移動局に割り当てられるサブキャリア数は、２、３および５と異なる素因数を含まないことが条件に指定される。
【００３３】
免許不要な帯域でＬＴＥシステムを運用するＬＴＥ  ＬＡＡでは、インターレースの構成を示すＭとＮとの数の組み合わせが、（Ｍ，Ｎ）＝（１０，１０）、または、（Ｍ，Ｎ）＝（１０，５）であるので、移動局に割り当てられるＰＲＢの数が１０の倍数である。つまり、割り当てられるサブキャリアの数は、１２０の倍数である。ここで、１２０が２、３および５と異なる素因数を含まないため、ＬＴＥ  ＬＡＡでは、比較的容易に上述した条件を満たすことが可能である。
【００３４】
ＮＲ−Ｕの検討事項におけるインターレースの構成では、割り当てられるサブキャリアの数が、２、３および５と異なる素因数を含む場合がある。サブキャリア間隔が１５ｋＨｚであり、インターレースの構成を示すＭとＮとの数の組み合わせが、（Ｍ，Ｎ）＝（１２，８ｏｒ９）の場合を例に挙げて説明する。
【００３５】
なお、ＮＲ−Ｕの検討事項におけるインターレースの構成を示すＭとＮとの組み合わせは、（Ｍ，Ｎ）＝（１２，８ｏｒ９）に限られない。例えば、サブキャリア間隔が１５ｋＨｚの場合、インターレースの構成を示すＭとＮとの数の組み合わせは、（Ｍ，Ｎ）＝（１０，１０ｏｒ１１）、または、（Ｍ，Ｎ）＝（８，１３ｏｒ１４）であってもよい。また、サブキャリア間隔が３０ｋＨｚの場合、インターレースの構成を示すＭとＮとの数の組み合わせは、（Ｍ，Ｎ）＝（６，８ｏｒ９）、（Ｍ，Ｎ）＝（５，１０ｏｒ１１）、または、（Ｍ，Ｎ）＝（４，１２ｏｒ１３）であってもよい。また、サブキャリア間隔が６０ｋＨｚの場合、インターレースの構成を示すＭとＮとの数の組み合わせは、（Ｍ，Ｎ）＝（４，６）、（Ｍ，Ｎ）＝（３，８）、または、（Ｍ，Ｎ）＝（２，１２）であってもよい。また、サブキャリア間隔が６０ｋＨｚであり、２０ＭＨｚの帯域幅の中に２６個のＰＲＢが含まれる場合、インターレースの構成を示すＭとＮとの数の組み合わせは、（Ｍ，Ｎ）＝（４，６ｏｒ７）、（Ｍ，Ｎ）＝（２，１３）、または、（Ｍ，Ｎ）＝（３，８ｏｒ９）であってもよい。
【００３６】
図２は、ＮＲ−Ｕにおけるインターレースの例を示す図である。図２の例では、Ｎ＝８のインターレース（すなわち、８個のＰＲＢを有するインターレース）と、Ｎ＝９のインターレース（すなわち、９個のＰＲＢを有するインターレース）とが、移動局に割り当てられる場合がある。
【００３７】
例えば、Ｎ＝８のインターレースとＮ＝９のインターレースとが１つずつ移動局に割り当てられた場合、移動局に割り当てられるＰＲＢの数は１７個、すなわち、移動局に割り当てられるサブキャリアの数は２０４個である。２０４は１７という比較的大きな素因数を含むため、移動局が、２０４個のサブキャリアへマッピングする信号のＤＦＴ処理を行う場合、ＤＦＴ処理の計算量が増加する可能性がある。また、基地局が、移動局によって２０４個のサブキャリアへマッピングされた信号のＩＤＦＴ処理を行う場合、ＤＦＴ処理と同様に、ＩＤＦＴ処理の計算量が増加する可能性がある。
【００３８】
本開示では、ＤＦＴ処理、および、ＤＦＴ処理に対応するＩＤＦＴ処理の計算量を増加させず、かつ効率的にリソースを利用できるようにする手法の一例を示す。
【００３９】
（実施の形態１）
［通信システムの概要］
本開示の一実施の形態に係る通信システムは、基地局１００及び移動局２００を備える。以下の説明では、一例として、基地局１００が移動局２００に割り当てるリソースを決定し、決定したリソースを示す情報を通知する。そして、移動局２００が通知に基づいて、リソースへのマッピング処理を含む信号の送信処理を行い、基地局１００に対して、信号を送信する。
【００４０】
図３は、本開示の実施の形態１に係る基地局１００の一部の構成を示すブロック図である。図３に示す基地局１００において、受信部１０６は、上り信号を受信し、制御部１０１は、上り信号の送信に使用可能な第１のリソースの量を表す第１の数が、特定の第２の数と異なる第３の数を素因数に含む場合、第２のリソースを用いた、第３の数を素因数に含まない第４の数の信号の受信を制御する。
【００４１】
図４は、本開示の実施の形態１に係る移動局２００の一部の構成を示すブロック図である。図４に示す移動局２００において、送信部２０５は、上り信号を送信し、制御部２０１は、上り信号の送信に使用可能な第１のリソースの量を表す第１の数が、特定の第２の数と異なる第３の数を素因数に含む場合、第２のリソースを用いた、第３の数を素因数に含まない第４の数の信号の送信を制御する。
【００４２】
［基地局の構成］
図５は、本実施の形態１に係る基地局１００の構成を示すブロック図である。
【００４３】
図５において、基地局１００は、制御部１０１と、符号化・変調部１０２と、信号割当部１０３と、送信部１０４と、アンテナ１０５と、受信部１０６と、信号分離部１０７と、ＩＤＦＴ（Inverse Discrete Fourier Transform）部１０８と、復調・復号部１０９と、を有する。
【００４４】
制御部１０１は、例えば、上りリンクをスケジュールし、移動局２００に割り当てるリソースを決定する。制御部１０１は、割り当てリソース情報（例えば、移動局２００の上りリンク送信に割り当てるインターレースの番号）を符号化・変調部１０２および信号割当部１０３に出力する。信号割当部１０３に出力される割り当てリソース情報は、例えば、ＤＣＩ（Downlink Control Information）に含まれてよい。符号化・変調部１０２に出力される割り当てリソース情報は、例えば、上位レイヤ信号に含まれてよい。
【００４５】
制御部１０１は、移動局２００に割り当てたリソースの量を示す数が特定の数と異なる素因数を含む場合、移動局２００から受信する上りリンク信号がマッピングされているリソースと、移動局２００に割り当てたリソースとが異なることを想定して受信処理を制御する。
【００４６】
なお、以下では、上りリンク信号が、上りリンクのデータを含むデータ信号である例を説明するが、本開示における上りリンク信号は、データ信号と異なる信号を含んでいてもよい。
【００４７】
ここで、リソースの量を示す数は、例えば、リソースに含まれるサブキャリアの数である。また、特定の数は、例えば、２、３、および、５のような比較的小さな素数である。また、データ信号がマッピングされているリソースと割り当てたリソースとが異なるとは、例えば、データ信号がマッピングされているサブキャリアの数および／または位置と割り当てたサブキャリアの数および／または位置と異なることに相当する。また、データ信号がマッピングされているリソースと割り当てたリソースとが異なるとは、受信するデータ信号の数が、割り当てたリソースにおいて受信可能なデータ信号の数と異なること、を含んでもよい。
【００４８】
なお、リソースの量を示す数は、サブキャリアの数に限定されない。リソースの量を示す数は、例えば、サブキャリア群の数またはＰＲＢの数であってもよい。また、特定の数は、２、３および５に限定されない。特定の数は、２、３および５と異なる素数を含んでもよいし、あるいは、２、３および５の少なくとも１つが除外されてもよい。
【００４９】
例えば、制御部１０１は、割り当てたサブキャリアの数が特定の数と異なる素因数を含む場合、データ信号がマッピングされるサブキャリアの数、位置およびデータ信号の数の少なくとも１つを、割り当てたリソースと異なる値に変更してもよい。例えば、制御部１０１は、割り当てリソース情報に含まれるサブキャリアの数、位置およびデータ信号の数の少なくとも１つを変更してもよい。変更した後の情報は、データ信号が配置されるリソース、および／または、移動局２００によって送信される上りリンクのデータ信号の数を示す。また、例えば、変更した後のデータ信号の数は、ＩＤＦＴ部１０８から出力されるデータ信号の数であってよい。以下では、変更後の情報は、配置リソース情報と記載することがある。制御部１０１は、配置リソース情報を、信号分離部１０７に出力する。また、制御部１０１は、上りリンクのデータ信号の数に関する情報を、ＩＤＦＴ部１０８に出力する。
【００５０】
符号化・変調部１０２は、上位レイヤ信号を入力とし、入力された上位レイヤ信号を誤り訂正符号化および変調する。符号化・変調部１０２は、誤り訂正符号化および変調後の信号を、信号割当部１０３に出力する。
【００５１】
信号割当部１０３は、符号化・変調部１０２から取得した信号および／または制御部１０１から取得したＤＣＩを、時間領域および周波数領域において規定されるリソースに配置（マッピング）する。信号割当部１０３は、配置された信号を送信部１０４に出力する。
【００５２】
送信部１０４は、信号割当部１０３から受け取った信号を、搬送波を用いた周波数変換（例えば、アップコンバート）等の無線送信処理を行い、無線送信処理を行った信号をアンテナ１０５へと出力する。
【００５３】
アンテナ１０５は、送信部１０４から受け取った信号（下りリンク信号）を移動局２００に対して放射する。アンテナ１０５は、移動局２００によって送信された上りリンク信号を受信し、受信した上りリンク信号を受信部１０６に出力する。
【００５４】
受信部１０６は、アンテナ１０５から受け取った信号の周波数変換（例えば、ダウンコンバート）等の無線受信処理を行い、無線受信処理を行った信号を信号分離部１０７に出力する。
【００５５】
信号分離部１０７は、制御部１０１から受け取った配置リソース情報に基づき、受信部１０６から受け取った信号に含まれるデータ信号を抽出する。例えば、信号分離部１０７は、配置リソース情報に基づき、時間領域および周波数領域において規定されるリソースの位置を特定し、特定した位置にマッピングされたデータ信号を抽出する。信号分離部１０７は、抽出したデータ信号をＩＤＦＴ部１０８に出力する。
【００５６】
ＩＤＦＴ部１０８は、信号分離部１０７から受け取ったデータ信号にＩＤＦＴ処理(例えば、ＩＦＦＴ処理)を施す。ＩＤＦＴ部１０８は、ＩＤＦＴ処理を施したデータ信号を復調・復号部１０９に出力する。なお、信号分離部１０７から受け取ったデータ信号の数が、制御部１０１から受け取った情報が示すデータ信号の数と異なる場合、ＩＤＦＴ部１０８は、ＩＤＦＴ処理において、信号の補間処理、または、信号の間引き処理を行ってよい。その場合、ＩＤＦＴ部１０８から出力される信号の数は、制御部１０１から受け取った情報が示すデータ信号の数であってよい。
【００５７】
復調・復号部１０９は、ＩＤＦＴ部１０８から受け取ったデータ信号を復調および復号する。
【００５８】
［移動局の構成］
図６は、本実施の形態１に係る移動局２００の構成を示すブロック図である。
【００５９】
図６において、移動局２００は、制御部２０１と、符号化・変調部２０２と、ＤＦＴ部２０３と、信号割当部２０４と、送信部２０５と、アンテナ２０６と、受信部２０７と、信号分離部２０８と、復調・復号部２０９とを有する。
【００６０】
制御部２０１は、基地局１００が移動局２００に割り当てた上りリンクのリソースを示す情報（例えば、上述した割り当てリソース情報）を取得し、上りリンク信号の送信処理を制御する。例えば、制御部２０１は、信号分離部２０８から受け取ったＤＣＩ、および／または、復調・復号部２０９から受け取った上位レイヤ信号に基づき、移動局２００に割り当てられた上りリンクのリソースを示す情報を符号化・変調部２０２および／または信号割当部２０４へ出力する。
【００６１】
例えば、制御部２０１は、移動局２００に割り当てられたリソースの量を示す数が特定の数と異なる素因数を含む場合、移動局２００に割り当てられたリソースとデータ信号をマッピングするリソースとが異なることを想定して送信処理を制御する。
【００６２】
例えば、制御部２０１は、割り当てられたサブキャリアの数が特定の数と異なる素因数を含む場合、データ信号をマッピングするサブキャリアの数、位置およびデータ信号の数の少なくとも１つを、割り当てられたリソースと異なる値に変更してもよい。例えば、制御部２０１は、割り当てリソース情報に含まれるサブキャリアの数、位置およびデータ信号の数の少なくとも１つを変更してもよい。変更した後の情報（上述した、配置リソース情報）は、データ信号を配置（マッピング）するリソース、および／または、送信する上りリンクのデータ信号の数を示す。また、例えば、変更した後のデータ信号の数は、ＤＦＴ部２０３から出力されるデータ信号の数、または、ＤＦＴ部２０３へ入力されるデータ信号の数であってよい。制御部２０１は、配置リソース情報を、信号割当部２０４に出力する。また、制御部２０１は、上りリンクのデータ信号の数に関する情報を符号化・変調部２０２に出力する。
【００６３】
アンテナ２０６は、基地局１００によって送信された下りリンク信号を受信し、下りリンク信号を受信部２０７に出力する。アンテナ２０６は、送信部２０５から受け取った上りリンク信号を基地局１００に対して放射する。
【００６４】
受信部２０７は、アンテナ２０６から受け取った信号の周波数変換（例えば、ダウンコンバート）等の無線受信処理を行い、無線受信処理を行った信号を信号分離部２０８に出力する。
【００６５】
信号分離部２０８は、受信部２０７から受け取った下りリンク信号に含まれる下りリンクのデータ信号、および／または、制御情報（例えば、ＤＣＩ）等を抽出する。例えば、信号分離部２０８は、下りリンクデータ信号、および／または、制御情報が配置されたリソースの位置を特定し、特定した位置にマッピングされた下りリンクのデータ信号、および／または、制御情報を抽出する。信号分離部２０８は、下りリンクのデータ信号を復調・復号部２０９に出力し、制御情報を制御部２０１に出力する。
【００６６】
復調・復号部２０９は、信号分離部２０８から受け取った下りリンクのデータ信号を復調および復号する。復調・復号部２０９は、復号して得られた信号（上位レイヤ信号）を制御部２０１に出力する。
【００６７】
符号化・変調部２０２は、制御部２０１から受け取ったデータ信号の数に関する情報に基づき、上りリンクのデータを誤り訂正符号化および変調し、ＤＦＴ部２０３に出力する。
【００６８】
ＤＦＴ部２０３は、符号化・変調部２０２から受け取った信号にＤＦＴ処理（例えば、ＦＦＴ処理）を施し、データ信号を信号割当部２０４に出力する。
【００６９】
信号割当部２０４は、制御部２０１から受け取ったリソース配置情報に基づき、ＤＦＴ部２０３から受け取ったデータ信号を、時間・周波数領域に配置する。配置された信号を、送信部に出力する。
【００７０】
送信部２０５は、信号割当部２０４から受け取った信号を、搬送波を用いた周波数変換（例えば、アップコンバート）等の無線送信処理を行い、アンテナ２０６へ出力する。
【００７１】
次に、基地局１００と移動局２００との間の動作シーケンスの一例を説明する。
【００７２】
図７は、本実施の形態１に係る基地局１００と移動局２００との間の動作シーケンスの一例を示す図である。
【００７３】
なお、以下では、基地局１００が移動局２００に割り当てたリソースは、「割り当てリソース」と記載されることがある。また、移動局２００が上りリンクのデータ信号をマッピングするリソースは、「配置リソース」と記載されることがある。また、リソースがサブキャリアによって表される場合、割り当てリソースおよび配置リソースは、それぞれ、「割り当てサブキャリア」および「配置サブキャリア」と置き換えられることがある。
【００７４】
基地局１００は、移動局２００に対して、割り当てる１つ以上のインターレースの番号を決定する（ＳＴ１０１）。
【００７５】
基地局１００は、決定したインターレースの番号を含む情報（割り当てリソース情報）を、上位レイヤ信号および／またはＤＣＩを用いて、移動局２００へ通知する（ＳＴ１０２）。
【００７６】
移動局２００は、通知に基づいて決定した割り当てサブキャリアの数が、特定の数と異なる素因数を有するか否かを判定する（ＳＴ１０３）。
【００７７】
割り当てサブキャリアの数が、特定の数と異なる素因数を有さない場合（ＳＴ１０３にてＮＯ）、移動局２００は、ＳＴ１０５の処理を行う。
【００７８】
割り当てサブキャリアの数が、特定の数と異なる素因数を有する場合（ＳＴ１０３にてＹＥＳ）、移動局２００は、送信するデータ信号のサイズ、および／または、データ信号をマッピングするリソースを調整する（ＳＴ１０４）。送信するデータ信号のサイズの調整は、例えば、送信するデータ信号の数の調整（変更）であってよい。また、データ信号をマッピングするリソースの調整は、例えば、データ信号をマッピングするリソースの量、および／または、リソースの位置の調整（変更）であってよい。また、上述したように、データ信号をマッピングするリソースは、配置リソースに相当してもよい。そして、移動局２００は、ＳＴ１０５の処理を行う。
【００７９】
移動局２００は、リソースに、データ信号を配置（マッピング）する（ＳＴ１０５）。
【００８０】
基地局１００は、ＳＴ１０２の処理の後、割り当てサブキャリアの数が、特定の数と異なる素因数を有するか否かを判定する（ＳＴ１０６）。
【００８１】
割り当てサブキャリアの数が、特定の数と異なる素因数を有さない場合（ＳＴ１０６にてＮＯ）、基地局１００は、ＳＴ１０８の受信処理を行う。
【００８２】
割り当てサブキャリアの数が、特定の数と異なる素因数を有する場合（ＳＴ１０６にてＹＥＳ）、基地局１００は、受信するデータ信号のサイズ、および／または、受信するデータ信号がマッピングされたリソースを調整する（ＳＴ１０７）。受信するデータ信号のサイズの調整は、例えば、受信するデータ信号の数の調整（変更）であってよい。また、データ信号がマッピングされたリソースの調整は、例えば、データ信号がマッピングされたリソースの量、および／または、リソースの位置の調整（変更）であってよい。また、上述したように、データ信号がマッピングされたリソースは、配置リソースに相当してもよい。そして、基地局１００は、ＳＴ１０８の受信処理を行う。
【００８３】
移動局２００は、上りリンク信号を送信し、基地局１００は、上りリンク信号を受信する（ＳＴ１０８）。
【００８４】
なお、図７では、基地局１００は、ＳＴ１０２の後に、ＳＴ１０６の処理と、ＳＴ１０６にてＹＥＳの場合にＳＴ１０７の処理を行う例を示したが、基地局１００は、ＳＴ１０１とＳＴ１０２との間で、ＳＴ１０６の処理と、ＳＴ１０６にてＹＥＳの場合にＳＴ１０７の処理を行ってもよい。この場合、基地局１００は、ＳＴ１０７にて調整した後の情報（例えば、配置リソース情報）を、ＳＴ１０２にて、上位レイヤ信号および／またはＤＣＩを用いて、移動局２００へ通知してもよい。この場合、移動局２００は、ＳＴ１０３およびＳＴ１０４の処理を行わなくてもよい。
【００８５】
次に、基地局１００が移動局２００に割り当てるリソースの設定の例と、移動局２００がデータ信号をマッピングするリソースの設定の例を説明する。
【００８６】
［割り当てリソースと配置リソースの第１の例］
サブキャリア間隔が１５ｋＨｚであり、インターレースの構成がＭ＝１０、および、Ｎ＝８ｏｒ９の場合を例に挙げて、基地局が移動局２００に割り当てるリソースの決定の一例と移動局２００がデータ信号をマッピングするリソースの決定の一例を説明する。
【００８７】
例えば、サブキャリア間隔が１５ｋＨｚであり、Ｍ＝１０、および、Ｎ＝８ｏｒ９の場合のインターレースの構成は、図２に示した構成を有する。
【００８８】
制御部１０１は、図２に示した構成において、１つ以上のインターレースの番号を決定し、決定したインターレースの番号に対応するリソース（例えば、ＰＲＢ）を割り当てリソースに決定する。
【００８９】
図８は、割り当てリソースの一例を示す図である。図８の例では、移動局２００に対して、インターレース＃０とインターレース＃１０とが、割り当てられる。インターレース＃０は、Ｎ＝９のインターレース（つまり、９個のＰＲＢを有するインターレース）であり、インターレース＃１０は、Ｎ＝８のインターレース（つまり、８個のＰＲＢを有するインターレース）である。
【００９０】
この場合、基地局１００は、割り当てリソースがインターレース＃０および＃１０であることを示す割り当てリソース情報を、ＤＣＩおよび／または上位レイヤ信号を用いて、移動局２００へ通知する。
【００９１】
移動局２００の制御部２０１は、取得した割り当てリソース情報に基づき、割り当てリソースがインターレース＃０および＃１０であると決定する。そして、制御部２０１は、割り当てリソースのリソースの量を決定する。例えば、リソースの量がサブキャリアの数によって表される場合、制御部２０１は、割り当てサブキャリアの数を決定する。例えば、インターレース＃０のＰＲＢの数が９個、インターレース＃１０のＰＲＢの数が８個であり、１つのＰＲＢは１２個のサブキャリアを有するため、制御部２０１は、割り当てサブキャリア数が２０４個である、と決定する。
【００９２】
そして、制御部２０１は、割り当てサブキャリアの数が特定の数と異なる素因数を含むか否かを判定する。例えば、特定の数が２、３および５の場合、割り当てサブキャリアの数が２０４＝２×２×３×１７であるから、制御部２０１は、割り当てサブキャリアの数が２、３および５と異なる素因数である１７を含む、と判定する。
【００９３】
この場合、制御部２０１は、配置サブキャリアの数、位置およびデータ信号の数の少なくとも１つを、割り当てリソース情報と異なる値に変更してもよい。
【００９４】
例えば、制御部２０１は、割り当てサブキャリアの数以下（または、割り当てサブキャリアの数未満）であり、かつ、特定の数と異なる素因数を含まない数（つまり、特定の数のみが素因数に含まれる数）のうちのいずれかの数を、ＤＦＴ部２０３から出力されるデータ信号の数に設定してもよい。これに付随して、制御部２０１は、配置サブキャリアの数を、設定したデータ信号の数と同じ数に設定してもよい。
【００９５】
例えば、割り当てサブキャリアの数以下であり、かつ、特定の数と異なる素因数を含まない数のうちの最大の数が、データ信号の数および配置サブキャリアの数に設定されてもよい。
【００９６】
上述の例の場合、割り当てサブキャリア数が２０４であり、特定の数が２、３および５である。この場合、割り当てサブキャリア数以下であり、かつ、特定の数と異なる素因数を含まない数のうちの最大の数は、２００（＝２３×５２）である。
【００９７】
この場合、制御部２０１は、データ信号の数および配置サブキャリアの数を２００に設定する。
【００９８】
なお、制御部２０１は、割り当てサブキャリア数以下であり、かつ、特定の数と異なる素因数を含まない数のうち、最大の数よりも小さい数を、データ信号の数および配置サブキャリアの数に設定してもよい。例えば、制御部２０１は、データ信号の数および配置サブキャリアの数を、１８０（＝２２×３２×５）に設定してもよいし、１５０（＝２×３×５２）に設定してもよい。
【００９９】
そして、制御部２０１は、割り当てサブキャリアのうち、配置サブキャリアの位置を設定する。配置サブキャリアの位置の設定方法は、特に限定されない。例えば、以下に説明する設定方法１から設定方法５のうち、いずれかが適用されてもよい。
【０１００】
＜設定方法１＞
例えば、制御部２０１は、割り当てサブキャリアのうち、高周波数側のサブキャリアを、配置サブキャリアに設定してよい。上述の例の場合、２０４個のサブキャリアのうち、高周波数側に位置する２００個のサブキャリアが配置サブキャリアに設定され、低周波数側に位置する４個のサブキャリアは配置サブキャリアに設定されない。別言すれば、低周波数側に位置する４個のサブキャリアは、除外される。
【０１０１】
＜設定方法２＞
例えば、制御部２０１は、割り当てサブキャリアのうち、低周波数側のサブキャリアを、配置サブキャリアに設定してよい。上述の例の場合、２０４個のサブキャリアのうち、低周波数側に位置する２００個のサブキャリアが配置サブキャリアに設定され、高周波数側に位置する４個のサブキャリアは配置サブキャリアに設定されない。
【０１０２】
＜設定方法３＞
例えば、制御部２０１は、割り当てサブキャリアのうち、低周波数側および高周波数側を除いたサブキャリアを、配置サブキャリアに設定してよい。上述の例の場合、２０４個のサブキャリアのうち、高周波数側に位置する２個のサブキャリアと低周波数側に位置する２個のサブキャリアを除いた２００個のサブキャリアが配置サブキャリアに設定される。なお、高周波数側と低周波数側とにおいて除外されるサブキャリアの数は限定されない。例えば、上述の例の場合、高周波数側に位置する１個のサブキャリアと低周波数側に位置する３個のサブキャリアを除いてもよい。
【０１０３】
設定方法１から設定方法３では、割り当てサブキャリアのうち、低周波数側および高周波数側のいずれか少なくとも一方に配置サブキャリアが設定される。この方法によって、配置リソースのＰＲＢの周波数間隔は均一の状態を維持し、上りリンク信号のＰＡＰＲの劣化を抑制できる。また、配置リソース（配置サブキャリア）が設定されない側において隣接する帯域からの干渉を抑制できる。
【０１０４】
＜設定方法４＞
例えば、制御部２０１は、割り当てサブキャリアのうち、中央部分に位置するサブキャリアを除いたサブキャリアを、配置サブキャリアに設定してもよい。中央部分に位置するサブキャリアとは、例えば、高周波数側と低周波数側のそれぞれのサブキャリアと異なるサブキャリアのいずれかであってよい。別言すれば、割り当てサブキャリアのうち、中央部分に位置するサブキャリアを除いたサブキャリアが配置サブキャリアに設定される場合、配置サブキャリアの最高周波数と最低周波数は、割り当てサブキャリアから変更されない。
【０１０５】
設定方法４では、割り当てサブキャリアのうち、中央部分に位置するサブキャリアを除いたサブキャリアが、配置サブキャリアに設定される。この方法によって、配置サブキャリアの占有帯域（Occupied Channel Bandwidth, OCB）が、割り当てサブキャリアの帯域よりも狭くならないため、ＥＴＳＩの定めるＯＣＢの制限に違反する可能性を低減できる。
【０１０６】
＜設定方法５＞
例えば、制御部２０１は、割り当てサブキャリアのうち、特定のインターレースに含まれるサブキャリアを除いたサブキャリアを、配置サブキャリアに設定してもよい。上述の例の場合、インターレース＃０に含まれる１０８個のサブキャリア、および、インターレース＃１０に含まれる９６個のサブキャリアのうち、インターレース＃０に含まれる４個のサブキャリアを除いたサブキャリアが、配置サブキャリアに設定されてもよい。あるいは、インターレース＃１０に含まれる４個のサブキャリアを除いたサブキャリアが、配置サブキャリアに設定されてもよい。この場合、サブキャリアが除かれる特定のインターレースの選択の方法は、特に限定されない。例えば、除く前に含まれていたサブキャリア数が少ないインターレースが、優先的に選択されてもよい。上述の例の場合、インターレース＃０に含まれる１０８個のサブキャリア、および、インターレース＃１０に含まれる９６個のサブキャリアのうち、インターレース＃１０に含まれる４個のサブキャリアが優先的に除かれ、残りのサブキャリアが配置サブキャリアに設定されてもよい。
【０１０７】
設定方法５では、除かれるサブキャリアが属さないインターレースによって、配置サブキャリアの占有帯域（ＯＣＢ）が確保できるので、ＥＴＳＩの定めるＯＣＢの制限に違反する可能性が低い。例えば、サブキャリアが除かれる特定のインターレースに、除く前に含まれていたサブキャリア数が少ないインターレースが選択されることによって、ＥＴＳＩの定めるＯＣＢの制限に違反する可能性を更に低減できる。また、配置リソースのＰＲＢの周波数間隔は均一の状態を維持し、上りリンク信号のＰＡＰＲの劣化を抑制できる。
【０１０８】
制御部２０１は、配置サブキャリアの数および位置を決定し、決定したサブキャリアの数および位置を示す情報を含む配置リソース情報を、信号割当部２０４に出力する。また、制御部２０１は、上りリンクのデータ信号の数を符号化・変調部２０２へ出力する。
【０１０９】
符号化・変調部２０２は、データ信号の数に基づいて、上りリンクデータを誤り訂正符号化および変調し、ＤＦＴ部２０３に出力する。ＤＦＴ部２０３は、符号化・変調部２０２から受け取った、データ信号の数の信号にＤＦＴ処理(例えば、ＦＦＴ処理)を施し、出力信号を信号割当部２０４に出力する。ここで、データ信号の数は、特定の数（上述の例では、２、３および５）と異なる素因数を含まない数であるため、ＤＦＴ部２０３におけるＤＦＴ処理（例えば、ＦＦＴ処理）の計算量の増加を抑制でき、ＤＦＴ処理を高速化できる。
【０１１０】
信号割当部２０４は、配置サブキャリアの位置に基づいて、ＤＦＴ部２０３から受け取った信号をマッピングする。この場合、信号割当部２０４は、配置サブキャリアと異なるサブキャリアには、信号をマッピングしなくてよい。
【０１１１】
また、移動局２００の制御部２０１と同様に、基地局１００の制御部１０１は、配置サブキャリアの数、位置およびデータ信号の数の少なくとも１つを、割り当てリソース情報と異なる値に変更してもよい。なお、変更の方法に関する情報は、移動局２００と基地局１００との間で共有されてもよい。この場合、移動局２００と基地局１００とは、同一の変更方法に基づいて配置サブキャリアの数、位置およびデータ信号の数の少なくとも１つを、割り当てリソース情報と異なる値に変更してもよい。
【０１１２】
例えば、ＩＤＦＴ部１０８は、信号分離部１０７から受け取った、データ信号の数の信号にＩＤＦＴ処理(例えば、ＦＦＴ処理)を施し、処理後の信号を復調・復号部１０９に出力する。ここで、データ信号の数は、特定の数（上述の例では、２、３および５）と異なる素因数を含まない数であるため、ＩＤＦＴ部１０８におけるＩＤＦＴ処理（例えば、ＩＦＦＴ処理）の計算量の増加を抑制でき、ＩＤＦＴ処理を高速化できる。
【０１１３】
以上、説明した例では、データ信号および配置リソースの数をサブキャリア単位で決定することによって、割り当てリソースの周波数利用効率を向上させ、柔軟なデータ信号のマッピングを行うことができる。例えば、配置リソースに設定されないリソースに、上りリンクのデータ信号と異なる信号がマッピングされてもよい。
【０１１４】
なお、データ信号および配置リソースの数の単位は、サブキャリア単位に限定されない。例えば、データ信号および配置リソースの数は、ＰＲＢよりも少ないサブキャリア数（すなわち、１２個未満のサブキャリア）を有するｓｕｂ−ＰＲＢ単位で決定されてもよい。ｓｕｂ−ＰＲＢは、部分ＰＲＢ（part of PRB）と称されてもよいし、別の呼称に対応すると捉えてもよい。
【０１１５】
あるいは、データ信号および配置リソースの数は、ＰＲＢ単位で決定されてもよい。以下では、データ信号および配置リソースの数がＰＲＢ単位で決定される第２の例を説明する。
【０１１６】
［割り当てリソースと配置リソースの第２の例］
データ信号および配置リソースの数がＰＲＢ単位で決定される場合、制御部２０１は、割り当てサブキャリアの数以下であり、かつ、特定の数と異なる素因数を含まない数のうち、１２のＫ倍（Ｋは１以上の整数）となる数のいずれかを決定する。ここで、１２は、１つのＰＲＢに含まれるサブキャリアの数である。そして、制御部２０１は、決定した数に対応するＫを配置リソースのＰＲＢの数に設定する。
【０１１７】
例えば、上述した例と同様に、図８に示した割り当てリソースに対する配置リソースを決定する場合、制御部２０１は、Ｋ＝１６とし、１２のＫ倍＝１９２をデータ信号の数に設定し、Ｋ＝１６を配置リソースのＰＲＢの数に設定する。
【０１１８】
そして、制御部２０１は、設定した配置リソースのＰＲＢの数に対応する配置リソースの位置を決定する。
【０１１９】
配置リソースの位置は、サブキャリア単位で設定する場合の設定方法１と同様に、ＰＲＢ単位の割り当てリソースのうち、高周波数側のＰＲＢであってよい。あるいは、配置リソースの位置は、サブキャリア単位で設定する場合の設定方法２と同様に、ＰＲＢ単位の割り当てリソースのうち、低周波数側のＰＲＢであってよい。
【０１２０】
例えば、制御部２０１は、図８の例において、配置リソースのＰＲＢの数を１６に設定した場合、インターレース＃０に含まれる最も低い周波数のＰＲＢを除いた１６個のＰＲＢを配置リソースのＰＲＢに設定してよい。あるいは、制御部２０１は、インターレース＃０に含まれる最も高い周波数のＰＲＢを除いた１６個のＰＲＢを配置リソースのＰＲＢに設定してよい。
【０１２１】
また、配置リソースの位置は、サブキャリア単位で設定する場合の設定方法３と同様に、ＰＲＢ単位の割り当てリソースのうち、高周波数側のＰＲＢと低周波数側のＰＲＢを除いたＰＲＢのいずれかであってよい。また、配置リソースの位置は、サブキャリア単位で設定する場合の設定方法４と同様に、ＰＲＢ単位の割り当てリソースのうち、中央部分のＰＲＢを除いたＰＲＢのいずれかであってよい。中央部分のＰＲＢとは、例えば、高周波数側のＰＲＢと低周波数側のＰＲＢと異なるＰＲＢのいずれかであってよい。また、配置リソースの位置は、サブキャリア単位で設定する場合の設定方法５と同様に、ＰＲＢ単位の割り当てリソースのうち、特定のインターレースに含まれるＰＲＢを除いたＰＲＢであってよい。
【０１２２】
ＰＲＢ単位で配置リソースを決定する場合も、サブキャリア単位で配置リソースを決定する場合と同様に、割り当てリソースのＰＲＢの周波数間隔は均一の状態を維持し、データ信号のＰＡＰＲの劣化を抑制できる。また、配置リソースが設定されない側において隣接する帯域からの干渉を抑制できる。
【０１２３】
ＰＲＢ単位で配置リソースを決定する場合、移動局２００において送信に用いるリソースがＰＲＢ単位で決定されるため、移動局２００および基地局１００への実装が容易にできる。
【０１２４】
以上説明したように、実施の形態１では、割り当てサブキャリアの中から、特定の数（上述の例では、２、３および５）と異なる素因数を含まない数の配置サブキャリアに、配置サブキャリアの数と同じ数のデータ信号を１対１対応でマッピングする。これにより、ＤＦＴ処理、および、ＤＦＴ処理に対応するＩＤＦＴ処理の計算量の増加を抑制でき、かつ効率的にリソースを利用できるため、免許不要な帯域での運用において、信号を適切に送受信できる。
【０１２５】
（実施の形態２）
実施の形態１では、割り当てリソースに対して上りリンクのデータ信号の数および配置リソースが決定され、データ信号がデータ信号の量と同じ量の配置リソースに１対１でマッピングされる例を説明した。本実施の形態２では、割り当てリソースに対して上りリンクのデータ信号のマッピング方法を変更する例を説明する。
【０１２６】
本実施の形態２に係る通信システムの概要、基地局の構成、移動局の構成、および、動作シーケンスは、実施の形態１と同様であるので、詳細な説明は省略する。以下では、実施の形態１において示した通信システムの概要、基地局の構成、および、移動局の構成を援用して、本実施の形態２を説明する。
【０１２７】
本実施の形態２では、実施の形態１と同様に、例えば、制御部２０１は、移動局２００に割り当てられたリソースの量を示す数が特定の数と異なる素因数を含む場合、移動局２００に割り当てられたリソースと上りリンクのデータ信号をマッピングするリソースとが異なることを想定して送信処理を制御する。
【０１２８】
例えば、制御部２０１は、割り当てサブキャリアの数が特定の数と異なる素因数を含む場合、データ信号をマッピングするサブキャリアの数、位置およびデータ信号の数の少なくとも１つを、割り当てられたサブキャリアと異なる値に変更してもよい。
【０１２９】
例えば、制御部２０１は、データ信号の数を設定し、また、割り当てサブキャリアのうち、データ信号を１対１対応でマッピングする配置サブキャリアの数を設定する。この場合、制御部２０１は、設定した配置サブキャリアの数を、データ信号の数と同じ数に設定する。上述したように、制御部２０１が設定したデータ信号の数は、ＤＦＴ部２０３から出力されるデータ信号の数に対応する。
【０１３０】
そして、制御部２０１は、繰り返し（repetitionして）データ信号をマッピングするサブキャリアを設定する。繰り返しデータ信号をマッピングするサブキャリアは、例えば、割り当てサブキャリアのうち、配置サブキャリアを除いたサブキャリアの少なくとも一部である。繰り返しデータ信号をマッピングするサブキャリアは、重複配置サブキャリアと記載されることがある。
【０１３１】
この場合、配置サブキャリアにマッピングされるデータ信号は、互いに重複しない。一方で、重複配置サブキャリアにマッピングされるデータ信号は、配置サブキャリアにマッピングされるデータ信号のいずれかと重複する。別言すれば、重複配置サブキャリアには、配置サブキャリアにマッピングされるデータ信号が繰り返しマッピングされる。
【０１３２】
図８の例を援用して、本実施の形態２の例を説明する。例えば、図８に示した割り当てリソースが、移動局２００に割り当てられた場合、制御部２０１は、割り当てリソースがインターレース＃０および＃１０であると決定する。そして、制御部２０１は、割り当てサブキャリア数が２０４個である、と決定する。
【０１３３】
そして、制御部２０１は、割り当てサブキャリアの数が特定の数と異なる素因数を含むか否かを判定する。例えば、特定の数が２、３および５の場合、割り当てサブキャリアの数が２０４＝２×２×３×１７であるから、制御部２０１は、割り当てサブキャリアの数が２、３および５と異なる素因数である１７を含む、と判定する。
【０１３４】
この場合、本実施の形態２に係る制御部２０１は、割り当てサブキャリアの数以下であり、かつ、特定の数と異なる素因数を含まない数（つまり、特定の数のみが素因数に含まれる数）のうちのいずれかの数を、データ信号の数および配置サブキャリアの数に設定してもよい。
【０１３５】
例えば、割り当てサブキャリアの数以下であり、かつ、特定の数と異なる素因数を含まない数のうちの最大の数が、データ信号の数および配置サブキャリアの数に設定されてもよい。
【０１３６】
上述の例の場合、割り当てサブキャリア数が２０４であり、特定の数が２、３および５である。この場合、割り当てサブキャリア数以下であり、かつ、特定の数と異なる素因数を含まない数のうちの最大の数は、２００（＝２３×５２）である。
【０１３７】
この場合、制御部２０１は、データ信号の数および配置サブキャリアの数を２００に設定し、１対１対応でサブキャリアにマッピングするデータ信号の数を２００に設定する。そして、制御部２０１は、割り当てサブキャリア数２０４のうち、配置サブキャリアの数２００を除いた、４個のサブキャリアを重複配置サブキャリアに設定する。なお、制御部２０１は、４個のサブキャリアの一部（例えば、１〜３個）を重複配置サブキャリアに設定してもよい。この場合、配置サブキャリアおよび重複配置サブキャリアに設定されないサブキャリアには、信号がマッピングされなくてよい。
【０１３８】
制御部２０１は、割り当てサブキャリアの中から、配置サブキャリアの位置、および、重複配置サブキャリアの位置を設定する。配置サブキャリアの位置の設定方法については、実施の形態１において説明した設定方法１から５のいずれかであってもよい。あるいは、配置サブキャリアは、任意に（例えば、ランダムで）設定されてもよい。
【０１３９】
そして、制御部２０１は、２００個の配置サブキャリアに１対１対応でマッピングするデータ信号の中から、重複配置サブキャリアにマッピングするデータ信号を設定する。
【０１４０】
例えば、制御部２０１は、ＤＦＴ部２０３から出力され、配置サブキャリアにマッピングされる２００個のデータ信号のうち、最初の４個のデータ信号を、重複配置サブキャリアにマッピングするデータ信号に設定してよい。
【０１４１】
ここで、最初の４個のデータ信号とは、ＤＦＴ部２０３の出力に順序が規定される場合の、先頭の４個のデータ信号であってもよい。例えば、ＤＦＴ処理は、時間−周波数変換であるため、規定される順序は、ＤＦＴ処理における周波数に相当してもよい。
【０１４２】
例えば、ＤＦＴ部２０３から出力される２００個のデータ信号に対して、＃０〜＃１９９のインデックスが付される場合、＃０〜＃３のインデックスが付されたデータ信号が、最初の４個のデータ信号に相当する。
【０１４３】
例えば、割り当てサブキャリアにおいて、＃０〜＃１９９のデータ信号が周波数の低いサブキャリアから順にマッピングされ、次に、＃０〜＃３のデータ信号が繰り返しマッピングされる。この場合、割り当てサブキャリアにおいて、データ信号が、低い周波数から、＃０〜＃１９９、＃０〜＃３の順に、マッピングされる。この方法によって、ＰＡＰＲの上昇を抑制できる。
【０１４４】
制御部２０１は、配置サブキャリアの数および位置、重複配置サブキャリアの数および位置、ならびに、重複配置サブキャリアにマッピングするデータ信号を示す情報を含む配置リソース情報を、信号割当部２０４に出力する。また、制御部２０１は、上りリンクのデータ信号の数、すなわち、配置サブキャリアの数に関する情報を符号化・変調部２０２へ出力する。
【０１４５】
符号化・変調部２０２は、データ信号の数に基づいて、上りリンクデータを誤り訂正符号化および変調し、ＤＦＴ部２０３に出力する。ＤＦＴ部２０３は、符号化・変調部２０２から受け取った信号にＤＦＴ処理(例えば、ＦＦＴ処理)を施し、出力信号を信号割当部２０４に出力する。ここで、データ信号の数は、特定の数（上述の例では、２、３および５）と異なる素因数を含まない数であるため、ＤＦＴ部２０３におけるＤＦＴ処理（例えば、ＦＦＴ処理）の計算量の増加を抑制でき、ＤＦＴ処理を高速化できる。
【０１４６】
信号割当部２０４は、配置サブキャリアの位置に基づいて、ＤＦＴ部２０３から受け取った信号を配置サブキャリアにマッピングする。そして、信号割当分２０４は、重複配置サブキャリアの位置および重複配置サブキャリアにマッピングするデータ信号を示す情報に基づいて、データ信号を重複配置サブキャリアに繰り返しマッピングする。
【０１４７】
なお、詳細な説明は省略するが、移動局２００の制御部２０１と同様に、基地局１００の制御部１０１は、配置サブキャリアの数、位置およびデータ信号の数の少なくとも１つを、割り当てリソース情報と異なる値に変更してもよい。なお、変更の方法に関する情報は、移動局２００と基地局１００との間で共有されてもよい。この場合、移動局２００と基地局１００とは、同一の変更方法に基づいて配置サブキャリアの数、位置およびデータ信号の数の少なくとも１つを、割り当てリソース情報と異なる値に変更してもよい。
【０１４８】
例えば、ＩＤＦＴ部１０８は、信号分離部１０７から、配置サブキャリアにマッピングされた、配置サブキャリアの数の信号を受け取り、ＩＤＦＴ処理(例えば、ＦＦＴ処理)を施し、処理後の信号を復調・復号部１０９に出力する。また、ＩＤＦＴ部１０８は、信号分離部１０７から、重複配置サブキャリアにマッピングされた信号を受け取り、ＩＤＦＴ処理の前または後で、補間処理を行ってもよい。ここで、データ信号の数すなわち配置サブキャリアの数は、特定の数（上述の例では、２、３および５）と異なる素因数を含まない数であるため、ＩＤＦＴ部１０８におけるＩＤＦＴ処理（例えば、ＩＦＦＴ処理）の計算量の増加を抑制でき、ＩＤＦＴ処理を高速化できる。
【０１４９】
以上説明したように、本実施の形態２では、割り当てサブキャリアの中から、特定の数（上述の例では、２、３および５）と異なる素因数を含まない数の配置サブキャリアに、配置サブキャリアの数と同じ数のデータ信号を１対１対応でマッピングする。そして、割り当てサブキャリアの中で、配置サブキャリアと異なるサブキャリア（重複配置サブキャリア）において、データ信号を繰り返しマッピングする。これにより、ＤＦＴ処理、および、ＤＦＴ処理に対応するＩＤＦＴ処理の計算量の増加を抑制でき、かつ効率的にリソースを利用できるため、免許不要な帯域での運用において、信号を適切に送受信できる。また、これにより、配置サブキャリアの占有帯域（ＯＣＢ）が、割り当てサブキャリアの帯域よりも狭くならないため、ＥＴＳＩの定めるＯＣＢの制限に違反する可能性を低減できる。
【０１５０】
また、本実施の形態２では、一部のデータ信号が周波数領域において繰り返し送信されるため、データ信号の信頼度を向上できる。
【０１５１】
（実施の形態３）
実施の形態１および実施の形態２では、配置リソースの量を示す数が決定される例を説明した。本実施の形態３では、実施の形態１および実施の形態２と異なる、データ信号の量（データ信号の数）を決定する方法の一例を説明する。
【０１５２】
本実施の形態３に係る通信システムの概要、基地局の構成、移動局の構成、および、動作シーケンスは、実施の形態１と同様であるので、詳細な説明は省略する。以下では、実施の形態１において示した通信システムの概要、基地局の構成、および、移動局の構成を援用して、本実施の形態３を説明する。
【０１５３】
本実施の形態３では、実施の形態１と同様に、例えば、制御部２０１は、移動局２００に割り当てられたリソースの量を示す数が特定の数と異なる素因数を含む場合、移動局２００に割り当てられたリソースと上りリンクのデータ信号をマッピングするリソースとが異なることを想定して送信処理を制御する。
【０１５４】
例えば、制御部２０１は、割り当てサブキャリアの数が特定の数と異なる素因数を含む場合、配置サブキャリアの数、位置およびデータ信号の数の少なくとも１つを、割り当てリソース情報と異なる値に変更してもよい。
【０１５５】
例えば、本実施の形態３に係る制御部２０１は、割り当てサブキャリアの数以上（または、割り当てサブキャリアの数より大きい数）であり、かつ、特定の数と異なる素因数を含まない数（つまり、特定の数のみが素因数に含まれる数）のうちのいずれかの数を、ＤＦＴ部２０３から出力されるデータ信号の数に設定してもよい。なお、以下では、ＤＦＴ部２０３から出力されるデータ信号は、「出力データ信号」と記載されることがある。
【０１５６】
例えば、割り当てサブキャリアの数以上であり、かつ、特定の数と異なる素因数を含まない数のうちの最小の数が、出力データ信号の数に設定されてもよい。
【０１５７】
そして、制御部２０１は、設定した出力データ信号の数を含む配置リソース情報を、信号割当部２０４に出力する。また、制御部２０１は、出力データ信号の数に関する情報を符号化・変調部２０２へ出力する。
【０１５８】
符号化・変調部２０２は、出力データ信号の数に基づいて、上りリンクデータを誤り訂正符号化および変調し、ＤＦＴ部２０３に出力する。ＤＦＴ部２０３へ出力される信号の数は、出力データ信号の数に相当する。
【０１５９】
ＤＦＴ部２０３は、符号化・変調部２０２から受け取った信号にＤＦＴ処理(例えば、ＦＦＴ処理)を施し、出力データ信号を信号割当部２０４に出力する。ここで、出力データ信号の数は、特定の数（例えば、２、３および５）と異なる素因数を含まない数であるため、ＤＦＴ部２０３におけるＤＦＴ処理（例えば、ＦＦＴ処理）の計算量の増加を抑制でき、ＤＦＴ処理を高速化できる。
【０１６０】
信号割当部２０４は、ＤＦＴ部２０３から受け取った信号をマッピングする。実施の形態３の場合、ＤＦＴ部２０３から受け取った信号の数、すなわち、出力データ信号の数は、割り当てサブキャリアの数よりも多い。そのため、信号割当部２０４は、ＤＦＴ部２０３から受け取った信号の一部を、マッピングしなくてよい。
【０１６１】
また、移動局２００の制御部２０１と同様に、基地局１００の制御部１０１は、配置サブキャリアの数、位置およびデータ信号の数の少なくとも１つを、割り当てリソース情報と異なる値に変更してもよい。なお、変更の方法に関する情報は、移動局２００と基地局１００との間で共有されてもよい。この場合、移動局２００と基地局１００とは、同一の変更方法に基づいて配置サブキャリアの数、位置およびデータ信号の数の少なくとも１つを、割り当てリソース情報と異なる値に変更してもよい。
【０１６２】
図８の例を援用して、本実施の形態３の例を説明する。例えば、図８に示した割り当てリソースが、移動局２００に割り当てられた場合、制御部２０１は、割り当てリソースがインターレース＃０および＃１０であると決定する。そして、制御部２０１は、割り当てサブキャリア数が２０４個である、と決定する。
【０１６３】
そして、制御部２０１は、割り当てサブキャリアの数が特定の数と異なる素因数を含むか否かを判定する。例えば、特定の数が２、３および５の場合、割り当てサブキャリアの数が２０４＝２×２×３×１７であるから、制御部２０１は、割り当てサブキャリアの数が２、３および５と異なる素因数である１７を含む、と判定する。
【０１６４】
上述の例の場合、割り当てサブキャリア数が２０４であり、特定の数が２、３および５である。この場合、割り当てサブキャリア数以上であり、かつ、特定の数と異なる素因数を含まない数のうちの最小の数は、２１６（＝２３×３３）である。
【０１６５】
この場合、制御部２０１は、出力データ信号の数を２１６に設定する。そして、制御部２０１は、設定した出力データ信号の数を含む配置リソース情報を、信号割当部２０４に出力する。また、制御部２０１は、出力データ信号の数に関する情報を符号化・変調部２０２へ出力する。
【０１６６】
上述の例の場合、ＤＦＴ部２０３から受け取った信号、すなわち、２１６個の出力データ信号は、２０４個の割り当てサブキャリアよりも１２個多い。そのため、信号割当部２０４は、少なくとも１２個の出力データ信号を、マッピングしなくてよい。
【０１６７】
以上説明したように、本実施の形態３では、割り当てサブキャリアの数以上であり、かつ、特定の数と異なる素因数を含まない数（つまり、特定の数のみが素因数に含まれる数）のうちのいずれかの数を、ＤＦＴ部２０３から出力されるデータ信号の数に設定する。この方法により、ＤＦＴ処理、および、ＤＦＴ処理に対応するＩＤＦＴ処理の計算量の増加を抑制でき、かつ効率的にリソースを利用できるため、免許不要な帯域での運用において、信号を適切に送受信できる。また、この方法により、また、割り当てサブキャリアを効率良く使用でき、伝送速度を向上できる。
【０１６８】
（実施の形態４）
実施の形態３では、ＤＦＴ部２０３から出力される出力データ信号の数を、割り当てサブキャリアの数以上に設定し、ＤＦＴ部２０３から出力される出力データ信号の一部を、サブキャリアにマッピングしない例を説明した。本実施の形態４では、ＤＦＴ部２０３から出力される出力データ信号の一部を、割り当てサブキャリアと異なるリソースにマッピングする例を説明する。
【０１６９】
本実施の形態４に係る通信システムの概要、基地局の構成、移動局の構成、および、動作シーケンスは、実施の形態１と同様であるので、詳細な説明は省略する。以下では、実施の形態１において示した通信システムの概要、基地局の構成、および、移動局の構成を援用して、本実施の形態２を説明する。
【０１７０】
本実施の形態４では、実施の形態３と同様に、制御部２０１が、出力データ信号の数を設定する。
【０１７１】
そして、制御部２０１は、設定した出力データ信号の数を含む配置リソース情報を、信号割当部２０４に出力する。また、制御部２０１は、出力データ信号の数に関する情報を符号化・変調部２０２へ出力する。
【０１７２】
符号化・変調部２０２は、出力データ信号の数に基づいて、上りリンクデータを誤り訂正符号化および変調し、ＤＦＴ部２０３に出力する。ＤＦＴ部２０３へ出力される信号の数は、出力データ信号の数に相当する。
【０１７３】
ＤＦＴ部２０３は、符号化・変調部２０２から受け取った信号にＤＦＴ処理(例えば、ＦＦＴ処理)を施し、出力データ信号を信号割当部２０４に出力する。ここで、出力データ信号の数は、特定の数（例えば、２、３および５）と異なる素因数を含まない数であるため、ＤＦＴ部２０３におけるＤＦＴ処理（例えば、ＦＦＴ処理）の計算量の増加を抑制でき、ＤＦＴ処理を高速化できる。
【０１７４】
信号割当部２０４は、ＤＦＴ部２０３から受け取った信号をマッピングする。実施の形態４の場合、実施の形態３と同様に、ＤＦＴ部２０３から受け取った信号の数、すなわち、出力データ信号の数は、割り当てサブキャリアの数よりも多い。実施の形態４では、信号割当部２０４は、ＤＦＴ部２０３から受け取った出力データ信号の一部を、割り当てサブキャリアと異なるリソースにマッピングする。以下、割り当てサブキャリアと異なるリソースにマッピングする出力データ信号は、余剰データ信号と記載することがある。余剰データ信号は、割り当てサブキャリアにマッピングされない出力データ信号の少なくとも一部または全てに相当する。
【０１７５】
例えば、余剰データ信号は、移動局２００に割り当てられていないリソースにマッピングされてよい。移動局２００に割り当てられていないリソースの選択は、例えば、制御部２０１によって実行されてよい。
【０１７６】
例えば、制御部２０１は、割り当てサブキャリアの間に位置するサブキャリアの中から、余剰データ信号の数のサブキャリアを選択してよい。選択したサブキャリアの位置を示す情報は、配置リソース情報に含まれ、信号割当部２０４に出力されてよい。なお、サブキャリアの選択の方法に関する情報は、移動局２００と基地局１００との間で既知であってもよいし、基地局１００から移動局２００へ通知されてもよい。あるいは、サブキャリアの選択の方法に関する情報、および／または、選択したサブキャリアの位置を示す情報が、移動局２００から基地局１００へ通知されてもよい。
【０１７７】
この場合、信号割当部２０４は、配置リソース情報に基づき、余剰データ信号を選択されたサブキャリアにマッピングしてよい。
【０１７８】
また、移動局２００の制御部２０１と同様に、基地局１００の制御部１０１は、配置サブキャリアの数、位置およびデータ信号の数の少なくとも１つを、割り当てリソース情報と異なる値に変更してもよい。なお、変更の方法に関する情報は、移動局２００と基地局１００との間で共有されてもよい。この場合、移動局２００と基地局１００とは、同一の変更方法に基づいて配置サブキャリアの数、位置およびデータ信号の数の少なくとも１つを、割り当てリソース情報と異なる値に変更してもよい。
【０１７９】
図８の例を援用して、本実施の形態４の例を説明する。例えば、図８に示した割り当てリソースが、移動局２００に割り当てられた場合、制御部２０１は、実施の形態３にて示した例と同様に、出力データ信号の数を２１６に設定する。
【０１８０】
上述した例の場合、ＤＦＴ部２０３から受け取った信号、すなわち、２１６個の出力データ信号は、２０４個の割り当てサブキャリアよりも１２個多い。そのため、信号割当部２０４は、少なくとも１２個の余剰データ信号を、割り当てサブキャリアと異なるリソースにマッピングする。
【０１８１】
以上説明したように、本実施の形態４では、割り当てサブキャリアの数以上であり、かつ、特定の数と異なる素因数を含まない数（つまり、特定の数のみが素因数に含まれる数）のうちのいずれかの数を、ＤＦＴ部２０３から出力されるデータ信号の数に設定する。この方法により、ＤＦＴ処理、および、ＤＦＴ処理に対応するＩＤＦＴ処理の計算量の増加を抑制でき、かつ効率的にリソースを利用できるため、免許不要な帯域での運用において、信号を適切に送受信できる。また、この方法により、割り当てサブキャリアを効率良く使用でき、伝送速度を向上できる。
【０１８２】
また、本実施の形態４では、移動局２００に割り当てられていないリソースを割り当てリソースに追加して用いることによって、ＤＦＴ部２０３から出力されるデータ信号の全てを送信できる。そのため、伝送速度を向上させ、信頼性の高い信号送信を実行できる。
【０１８３】
また、上述した本実施の形態４では、余剰データ信号をマッピングするリソースが、サブキャリア単位で選択される例を説明した。サブキャリア単位で選択されることによって、信号送信に用いるリソースの設定を柔軟にできる。
【０１８４】
なお、本実施の形態４では、余剰データ信号をマッピングするリソースが、ＰＲＢ単位で選択されてもよい。
【０１８５】
例えば、制御部２０１は、割り当てリソースのＰＲＢの間に位置するＰＲＢの中から、余剰データ信号をマッピングできる量のＰＲＢを選択してよい。選択したＰＲＢの位置を示す情報は、配置リソース情報に含まれ、信号割当部２０４に出力されてよい。
【０１８６】
このように、余剰データ信号をマッピングするリソースがＰＲＢ単位で選択されることによって、信号の送受信処理が、ＰＲＢ単位で実行できるため、実装を容易にできる。
【０１８７】
（実施の形態５）
本実施の形態５では、例えば、割り当てサブキャリアの数に基づいて、上述した実施の形態１から実施の形態４のいずれかの方法を適用する例を説明する。なお、実施の形態１から実施の形態４において既に説明した方法については、適宜、省略する。
【０１８８】
本実施の形態５に係る通信システムの概要、基地局の構成、移動局の構成、および、動作シーケンスは、実施の形態１と同様であるので、詳細な説明は省略する。以下では、実施の形態１において示した通信システムの概要、基地局の構成、および、移動局の構成を援用して、本実施の形態５を説明する。
【０１８９】
本実施の形態５では、実施の形態１等と同様に、例えば、制御部２０１は、移動局２００に割り当てられたリソースの量を示す数が特定の数と異なる素因数を含む場合、移動局２００に割り当てられたリソースと上りリンクのデータ信号をマッピングするリソースとが異なることを想定して送信処理を制御する。
【０１９０】
例えば、制御部２０１は、割り当てサブキャリアの数が特定の数と異なる素因数を含む場合、配置サブキャリアの数、位置およびデータ信号の数の少なくとも１つを、割り当てリソース情報と異なる値に変更してもよい。
【０１９１】
例えば、本実施の形態５に係る制御部２０１は、特定の数と異なる素因数を含まない数（つまり、特定の数のみが素因数に含まれる数）のうち、割り当てサブキャリアの数に最も近い数を、ＤＦＴ部２０３から出力される出力データ信号の数に設定してもよい。
【０１９２】
例えば、設定した出力データ信号の数が、割り当てサブキャリアの数以下である場合、制御部２０１は、実施の形態１および２と同様に、割り当てサブキャリアの中から、出力データ信号をマッピングする配置サブキャリアを決定する。
【０１９３】
この場合、実施の形態１と同様に、配置サブキャリアに含まれない割り当てサブキャリアは使用されなくてもよい。あるいは、実施の形態２と同様に、配置サブキャリアに含まれない割り当てサブキャリアには、出力データ信号が繰り返してマッピングされてもよい。
【０１９４】
また、例えば、設定した出力データ信号の数が、割り当てサブキャリアの数以上である場合、制御部２０１は、実施の形態３および４と同様に、割り当てサブキャリアの数の出力データ信号を、割り当てサブキャリアにマッピングする。
【０１９５】
この場合、実施の形態３と同様に、割り当てサブキャリアにマッピングされない出力データ信号（余剰データ信号）は、除外されてもよい。あるいは、実施の形態４と同様に、割り当てサブキャリアにマッピングされない出力データ信号（余剰データ信号）は、割り当てられていないリソースにマッピングされてもよい。
【０１９６】
図８の例を援用して、本実施の形態５の例を説明する。例えば、図８に示した割り当てリソースが、移動局２００に割り当てられた場合、制御部２０１は、割り当てリソースがインターレース＃０および＃１０であると決定する。そして、制御部２０１は、割り当てサブキャリア数が２０４個である、と決定する。
【０１９７】
そして、制御部２０１は、特定の数（２、３および５）と異なる素因数を含まない数のうち、割り当てサブキャリアの数に最も近い数が、２００（＝２３×５２）であるので、出力データ信号の数を２００に設定する。
【０１９８】
この場合、設定した出力データ信号の数が、割り当てサブキャリアの数より少ないので、制御部２０１は、実施の形態１および２と同様に、割り当てサブキャリアの中から、出力データ信号をマッピングする配置サブキャリアを決定する。そして、実施の形態１と同様に、配置サブキャリアに含まれない割り当てサブキャリアは使用されなくてもよい。あるいは、実施の形態２と同様に、配置サブキャリアに含まれない割り当てサブキャリアには、出力データ信号が繰り返してマッピングされてもよい。
【０１９９】
以上説明したように、本実施の形態５では、割り当てサブキャリアの数に基づいて、上述した実施の形態１から実施の形態４のいずれかの方法を適用する。この方法により、ＤＦＴ処理、および、ＤＦＴ処理に対応するＩＤＦＴ処理の計算量の増加を抑制でき、かつ効率的にリソースを利用できるため、免許不要な帯域での運用において、信号を適切に送受信できる。また、この方法により、割り当てサブキャリアの周波数利用効率および伝送レートの低下を抑制できる。また、この方法によって、割り当てられていないリソースの使用率の増加、および、信号の送受信における信頼性の低下を抑制できる。
【０２００】
（他の実施の形態１）
上述した実施の形態１から５では、インターレースの構成として、Ｎが大きいインターレースに付される番号が、Ｎが小さいインターレースに付される番号よりも大きい例を説明した。例えば、図２に例示したインターレースの構成では、Ｎ＝９のインターレースに付された番号が、０〜９であり、Ｎ＝９のインターレースに付された番号が、１０、１１である例を説明した。本開示は、これに限定されない。他の実施の形態１では、図２に例示したインターレースの構成と異なる構成の例を説明する。
【０２０１】
図９は、ＮＲ−Ｕにおけるインターレースの別の例を示す図である。図９は、インターレースの構成を示すＭとＮが、（Ｍ，Ｎ）＝（１０，１０ｏｒ１１）の例である。
【０２０２】
図９では、Ｎ＝１１のインターレース（すなわち、１１個のＰＲＢを有するインターレース）に対して、０，１，３，４，６，７の番号が付され、Ｎ＝１０のインターレース（すなわち、１０個のＰＲＢを有するインターレース）に対して、２，５，８，９の番号が付されている。
【０２０３】
例えば、基地局１００の制御部１０１が、図９に示したインターレース構成において、移動局２００に３つのインターレースを割り当てる場合を説明する。この場合、連続する番号のインターレースが移動局２００に対して割り当てられるという割り当て方法が想定されてよい。この想定の基では、図９に示したインターレース構成の中で連続する３つの番号のインターレース（例えば、インターレース＃０、＃１および＃２）が移動局２００に割り当てられる。
【０２０４】
例えば、インターレース＃０、＃１および＃２が移動局２００に割り当てられる場合、移動局２００の割り当てリソースのＰＲＢの数は、合計３２個である。１つのＰＲＢは、１２個のサブキャリアを有するので、移動局２００の割り当てサブキャリアの数は、３８４（＝２７×３）である。この場合、移動局２００の割り当てサブキャリアの数は、２、３および５と異なる素因数を含まない数である。
【０２０５】
以上説明したように、他の実施の形態１では、基地局１００におけるインターレースの割り当て方法とインターレースの構成とに基づいて、インターレースに付される番号の設定が変更される。この方法により、ＤＦＴ処理、および、ＤＦＴ処理に対応するＩＤＦＴ処理の計算量の増加を抑制できる。また、割り当てサブキャリアを効率的に使用でき、伝送速度を向上できる。
【０２０６】
（他の実施の形態２）
上述した実施の形態１では、インターレースが、ＰＲＢを等間隔に分散して配置する構成である例を説明した。本開示は、これに限定されず、インターレースの構成は、変更されてよい。他の実施の形態２では、インターレースが、ＰＲＢとは異なる単位のリソースを有する例を説明する。
【０２０７】
図１０は、他の実施の形態２に係るインターレース構成の一例を示す図である。図１０に示す例は、ＰＲＢの最大割当数が１０６であり、Ｍ＝１２であるインターレース構成の例である。図１０に示す例において、周波数が低い部分には、１２個のサブキャリアを有するサブキャリア群（すなわち、ＰＲＢ）が示される。そして、周波数が高い部分には、８個のサブキャリアを有するサブキャリア群が示される。以下では、８個のサブキャリアを有するサブキャリア群は、ｓｕｂ−ＰＲＢと記載されることがある。
【０２０８】
図１０に示すインターレースの構成の場合、１つのインターレースに８個のＰＲＢと１個のｓｕｂ−ＰＲＢとが含まれるため、１つのインターレースは、９６個のサブキャリアを有する。例えば、移動局２００に１つのインターレースが割り当てられる場合、割り当てサブキャリアの数は、特定の数（２、３および５）と異なる素因数を含まない数である。
【０２０９】
また、７つおよび１１つを除いた２つ以上のインターレースが割り当てられる場合も、１つのインターレースが割り当てられる場合と同様に、割り当てサブキャリアの数は、特定の数（２、３および５）と異なる素因数を含まない数である。
【０２１０】
以上説明したように、他の実施の形態２では、インターレースを構成するリソースの単位を変更する。この変更によって、ＤＦＴ処理、および、ＤＦＴ処理に対応するＩＤＦＴ処理の計算量の増加を抑制できる。また、割り当てサブキャリアを効率的に使用でき、伝送速度を向上できる。
【０２１１】
なお、他の実施の形態２では、周波数が低い部分のリソースの単位がＰＲＢであり、周波数が高い部分のリソースの単位がｓｕｂ−ＰＲＢである例を説明した。例えば、周波数が高い部分のリソースの単位がＰＲＢであり、周波数が低い部分のリソースの単位がｓｕｂ−ＰＲＢであってもよいし、ＰＲＢとｓｕｂ−ＰＲＢとが周波数領域で偏ること無く、混在していてもよい。
【０２１２】
また、他の実施の形態２では、一部のリソースの単位がＰＲＢであり、残りのリソースの単位がｓｕｂ−ＰＲＢである例を説明した。例えば、全てのリソースの単位が、ｓｕｂ−ＰＲＢによって規定されてもよい。あるいは、互いに異なるサブキャリア数を有する複数のサブキャリア群によって規定されてもよい。例えば、８個のサブキャリアを有するサブキャリア群と、６個のサブキャリアを有するサブキャリア群がリソースの単位に規定されてもよい。
【０２１３】
なお、上述した各実施の形態において、配置リソースに含まれるインターレースのいずれかの部分が、２つ以上のサブキャリアを有するサブキャリア群（例えば、ｓｕｂ−ＰＲＢ）および／または単一のサブキャリアである場合、当該部分のリソースにおけるパイロット信号（例えば、チャネル推定用参照信号、および、Demodulation Reference Signal（DMRS））の配置方法は、ＰＲＢにおけるパイロット信号の配置方法と同じでもよい。あるいは、当該部分のリソースにおいてはパイロット信号が配置されなくてもよい。
【０２１４】
また、上述した各実施の形態に記載の方法は、それぞれ、単独で使用されてもよいし、組み合わせて使用されてもよい。または、状況（例えば、通信環境、および／または、トラフィック量）に応じて、使用する方法が切り替えられてもよい。例えば、通信環境は、Reference Signal Received Power（ＲＳＲＰ）、Received Signal Strength Indicator（ＲＳＳＩ）、Reference Signal Received Quality（ＲＳＲＱ）、および、Signal-to-Interference plus Noise power Ratio（ＳＩＮＲ）の少なくとも１つによって表されてもよいし、他のパラメータであってもよい。また、例えば、トラフィック量は、基地局と接続する移動局の数、移動局が送信するデータの量、および、移動局に割り当て可能なリソースの量の少なくとも１つによって表されてもよいし、他のパラメータであってもよい。
【０２１５】
また、上述した各実施の形態では、移動局および基地局が、配置リソースおよび送受信するデータ信号の数を調整する（変更する）例を説明したが、本開示はこれに限定されない。
【０２１６】
例えば、調整の有無、および／または、調整の方法は、規格にあらかじめ定められていてもよい。例えば、基地局と移動局が、互いに同一の方法を認識し、同じ方法で調整してもよい。
【０２１７】
また、例えば、上位レイヤ信号および／またはＤＣＩを用いて、明示的(explicitly)に、または、暗黙的(implicitly)に、基地局から移動局に通知されてもよい。移動局は、基地局からの通知に従って調整してもよい。暗黙的に通知される場合、例えば、上記調整方法は、割り当てリソースやインターレースの番号によって暗示されてもよい。
【０２１８】
あるいは、移動局が調整し、調整した結果を示す情報を基地局に対して、上位レイヤ信号および／またはＵＣＩ（Uplink Control Signal, 上り制御信号）等で明示的または暗黙的に通知してもよい。この場合く、基地局はその通知に従って調整するのでもよい。
【０２１９】
また、上述した各実施の形態の各動作例では、移動局においてＤＦＴ処理の使用を想定しているが、本開示は、これに限定されない。例えば、ＣＰ−ＯＦＤＭ（Cyclic Prefix - Orthogonal Frequency Division Multiplexing）信号波形によって、インターレース配置が実現されてもよい。
【０２２０】
また、上述した各実施の形態では、移動局が送信機に対応し、基地局が受信機に対応すする上りリンクを想定しているが、例えば、基地局が送信機に対応し、移動局が受信機に対応する下りリンクであってもよい。また、移動局同士による通信（例えば、車車間通信）において確立される無線通信リンク（例えば、サイドリンク（sidelink）であってもよい。この場合、通信を行う移動局が、送信機および受信機に対応する。あるいは、これらに限られず、その他の通信等に適用されてもよい。
【０２２１】
また、上述した各実施の形態において、基地局１００および移動局２００の構成要素に用いる「・・・部」、「・・・器」という表記は、「・・・回路（circuitry）」、「・・・デバイス」、「・・・ユニット」、又は、「・・・モジュール」といった他の表記に置換されてもよい。
【０２２２】
また、上述した各実施の形態において、「特定」、「決定」、「設定」、「判断」、「想定」といった表記は、互いに読み替えられてもよい。
【０２２３】
また、上述した各実施の形態において、「上位レイヤ信号」という言葉は、「ＲＲＣ信号（Radio Resource Control signaling）」などといった言葉に置き換えられても良い。
【０２２４】
また、上述した各実施の形態において、「ＤＦＴ」という言葉は、「離散フーリエ変換」、「トランスフォームプリコーディング（Transform Precoding）」などといった言葉に置き換えられても良い。
【０２２５】
また、上述した各実施の形態において、「ＦＦＴ」という言葉は、「高速フーリエ変換」、「トランスフォームプリコーディング（Transform Precoding）」などといった言葉に置き換えられても良い。
【０２２６】
また、上述した各実施の形態において、「ＩＤＦＴ」という言葉は、「逆離散フーリエ変換」などといった言葉に置き換えられても良い。
【０２２７】
また、上述した各実施の形態において、「ＩＦＦＴ」という言葉は、「逆高速フーリエ変換」などといった言葉に置き換えられても良い。
【０２２８】
また、上述した各実施の形態において、周波数領域に規定されたリソースの帯域幅、サブキャリアの数、ＰＲＢの数等は、一例であり、本開示はこれに限定されない。また、「サブキャリア」、「ＰＲＢ」および「ｓｕｂ−ＰＲＢ」といったリソースを分割する単位を規定する表記は、一例であり、他の表記に置換されてもよい。
【０２２９】
以上、各実施の形態について説明した。
【０２３０】
本開示はソフトウェア、ハードウェア、又は、ハードウェアと連携したソフトウェアで実現することが可能である。
【０２３１】
上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。
【０２３２】
集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。
【０２３３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２３４】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【０２３５】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【０２３６】
通信には、セルラーシステム、無線ＬＡＮシステム、通信衛星システム等によるデータ通信に加え、これらの組み合わせによるデータ通信も含まれる。
【０２３７】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【０２３８】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【０２３９】
本開示の一実施例における移動局は、上り信号を送信する送信回路と、前記上り信号の送信に使用可能な第１のリソースの量を表す第１の数が、特定の第２の数と異なる第３の数を素因数に含む場合、第２のリソースを用いた、前記第３の数を素因数に含まない第４の数の信号の送信を制御する制御回路と、を備える。
【０２４０】
本開示の一実施例の移動局において、変調信号の離散フーリエ変換を行い、前記信号を出力する離散フーリエ変換器と、前記信号を前記第２のリソースにマッピングし、前記上り信号を出力する信号割当回路と、を備え、前記制御回路は、前記変調信号の数を前記第４の数に設定し、前記第１の数と前記第４の数とに基づいて前記第２のリソースを設定する。
【０２４１】
本開示の一実施例の移動局において、前記制御回路は、前記第１の数が前記第４の数より大きい場合、前記第１のリソースから第３のリソースを除外したリソースを前記第２のリソースに設定する。
【０２４２】
本開示の一実施例の移動局において、前記制御回路は、前記第３のリソースの少なくとも一部を、前記信号の一部を繰り返し送信するリソースに設定する。
【０２４３】
本開示の一実施例の移動局において、前記制御回路は、前記第１のリソースの中で、最も高い周波数帯域、および、最も低い周波数帯域の少なくともいずれかに位置するリソースを、前記第３のリソースに設定する。
【０２４４】
本開示の一実施例の移動局において、前記制御回路は、前記第１のリソースの中で、最も高い周波数帯域、および、最も低い周波数帯域に位置しないリソースを、前記第３のリソースに設定する。
【０２４５】
本開示の一実施例の移動局において、前記制御回路は、前記第１のリソースの中で、周波数軸において、所定の間隔毎に位置するリソースの一部を、前記第３のリソースに設定する。
【０２４６】
本開示の一実施例の移動局において、前記制御回路は、前記第１の数が前記第４の数より小さい場合、前記第１のリソースを、前記第４の数の前記信号の一部を除外した信号を送信する前記第２のリソースに設定する。
【０２４７】
本開示の一実施例の移動局において、前記制御回路は、前記第１のリソースと異なるリソースを、除外された前記信号を送信するリソースに設定する。
【０２４８】
本開示の一実施例の移動局において、前記制御回路は、前記第２のリソースを、サブキャリア単位又はサブキャリアグループ単位で決定する。
【０２４９】
本開示の一実施例の移動局において、前記制御回路は、前記第２のリソースを、物理リソースブロック（Physical Resource Block）単位で決定する。
【０２５０】
本開示の一実施例の移動局において、前記制御回路は、前記第２の数を素因数に含み、前記第３の数を素因数に含まない数の中で、前記第１の数に最も近い数を、前記第４の数に決定し、前記第１の数が前記第４の数よりも大きい場合と、前記第１の数が前記第４の数よりも小さい場合とで、送信処理を異ならせる。
【０２５１】
本開示の一実施例における基地局は、上り信号を受信する受信回路と、前記上り信号の送信に使用可能な第１のリソースの量を表す第１の数が、特定の第２の数と異なる第３の数を素因数に含む場合、第２のリソースを用いた、前記第３の数を素因数に含まない第４の数の信号の受信を制御する制御回路と、を備える。
【０２５２】
本開示の一実施例の基地局において、前記第２のリソースにマッピングされた信号を分離する信号分離回路と、前記分離された信号の逆離散フーリエ変換を行い、出力信号を出力する逆離散フーリエ変換回路と、を備え、前記制御回路は、前記出力信号の数を前記第４の数に設定し、前記第１の数と前記第４の数とに基づいて、前記第２のリソースを設定する。
【０２５３】
本開示の一実施例における送信方法は、上り信号の送信に使用可能な第１のリソースの量を表す第１の数が、特定の第２の数と異なる第３の数を素因数に含む場合、前記第３の数を素因数に含まない第４の数を設定し、第２のリソースを用いた、前記第４の数の信号の送信を制御する。
【０２５４】
本開示の一実施例における受信方法は、上り信号の送信に使用可能な第１のリソースの量を表す第１の数が、特定の第２の数と異なる第３の数を素因数に含む場合、前記第３の数を素因数に含まない第４の数を設定し、第２のリソースを用いた、前記第４の数の信号の受信を制御する。
【０２５５】
本開示の一実施例における基地局は、上り信号を受信する受信回路と、前記上り信号の送信に使用可能な第１のリソースを決定し、前記第１のリソースにおける、前記上り信号の受信処理を制御する制御回路と、を備え、前記第１のリソースは、所定の周波数帯域が分割された複数の帯域のうち、所定の間隔に位置する１つ以上の帯域を有し、前記制御回路は、前記第１のリソースに含まれるリソースの量を表す数が、規定された第２の数と異なる第３の数を素因数に含まないように、前記１つ以上の帯域を前記第１のリソースに設定する。
【０２５６】
本開示の一実施例における移動局は、信号を送信する送信回路と、使用可能な第１のリソースを用いた前記信号の送信処理を制御する制御回路と、を備え、前記第１のリソースは、所定の周波数帯域が分割された複数の帯域のうち、所定の間隔に位置する１つ以上の帯域を有し、前記複数の帯域の少なくとも一部は、残りの一部と異なる帯域幅を有し、前記第１のリソースに含まれるリソースの量を表す数は、規定された第２の数と異なる第３の数を素因数に含まない。
【０２５７】
２０１８年１１月１日出願の特願２０１８−２０６８７２の日本出願に含まれる明細書、図面および要約書の開示内容は、すべて本願に援用される。
【産業上の利用可能性】
【０２５８】
本開示の一実施例は、移動通信システムに有用である。
【符号の説明】
【０２５９】
１００  基地局
１０１，２０１  制御部
１０２，２０２  符号化・変調部
１０３，２０４  信号割当部
１０４，２０５  送信部
１０５，２０６  アンテナ
１０６，２０７  受信部
１０７，２０８  信号分離部
１０８  ＩＤＦＴ部
１０９，２０９  復調・復号部
２００  移動局
２０３  ＤＦＴ部
【図１】
2020090998.tif 000003
【図２】
2020090998.tif 000004
【図３】
2020090998.tif 000005
【図４】
2020090998.tif 000006
【図５】
2020090998.tif 000007
【図６】
2020090998.tif 000008
【図７】
2020090998.tif 000009
【図８】
2020090998.tif 000010
【図９】
2020090998.tif 000011
【図１０】
2020090998.tif 000012
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
１つ以上のインターレース番号のセットを指示するリソース割当情報を受信する受信機と、
帯域内の第１のリソースブロックにおいて上り信号を送信する送信機と、を具備し、
前記第１のリソースブロックにおけるリソースブロックの数は、１つ以上の特定の素数に基づく整数であり、前記１つ以上のインターレース番号のセットによって指示された第２のリソースブロックの数以下の最大の整数である、
通信装置。
【請求項２】
前記第１のリソースブロックは、前記１つ以上のインターレース番号のセットによって指示された第２のリソースブロックのうち最も低いリソースブロックである、
請求項１に記載の通信装置。
【請求項３】
前記インターレース番号の各々は、周波数領域において等間隔に配置された複数のリソースブロックを示す、
請求項１に記載の通信装置。
【請求項４】
前記リソース割当情報は、２つ以上のインターレース番号のセットを含む複数のセットから選択された前記１つ以上のインターレース番号のセットを指示する、
請求項１に記載の通信装置。
【請求項５】
前記上り信号におけるデータサイズは前記第１のリソースブロックに基づいて決定される、
請求項１に記載の通信装置。
【請求項６】
前記インターレース番号の各々は異なるリソースブロックの数を指示する、
請求項１に記載の通信装置。
【請求項７】
前記１つ以上の特定の素数は２、３、５の何れか１つ以上である、
請求項１に記載の通信装置。
【請求項８】
前記リソース割当情報は下り制御情報によって指示される、
請求項１に記載の通信装置。
【請求項９】
１つ以上のインターレース番号のセットを指示するリソース割当情報を受信し、
帯域内の第１のリソースブロックにおいて上り信号を送信し、
前記第１のリソースブロックにおけるリソースブロックの数は、１つ以上の特定の素数に基づく整数であり、前記１つ以上のインターレース番号のセットによって指示された第２のリソースブロックの数以下の最大の整数である、
通信方法。
【請求項１０】
前記第１のリソースブロックは、前記１つ以上のインターレース番号のセットによって指示されたリソースブロックのうち最も低いリソースブロックである、
請求項９に記載の通信方法。
【請求項１１】
前記インターレース番号の各々は、周波数領域において等間隔に配置された複数のリソースブロックを示す、
請求項９に記載の通信方法。
【請求項１２】
前記リソース割当情報は、前記リソース割当情報は、２つ以上のインターレース番号のセットを含む複数のセットから選択された前記１つ以上のインターレース番号のセットを指示する、
請求項９に記載の通信方法。
【請求項１３】
前記上り信号のデータサイズは前記第１のリソースブロックに基づいて決定される、
請求項９に記載の通信方法。
【請求項１４】
前記インターレース番号の各々は異なるリソースブロックの数を指示する、
請求項９に記載の通信方法。
【請求項１５】
前記１つ以上の特定の素数は２、３、５の何れか１つ以上である、
請求項９に記載の通信方法。
【請求項１６】
前記リソース割当情報は下り制御情報によって指示される、
請求項９に記載の通信方法。
【請求項１７】
１つ以上のインターレース番号のセットを指示するリソース割当情報を受信する処理と、
帯域内の第１のリソースブロックにおいて上り信号を送信する処理と、を制御し、
前記第１のリソースブロックにおけるリソースブロックの数は、１つ以上の特定の素数に基づく整数であり、前記１つ以上のインターレース番号のセットによって指示された第２のリソースブロックの数以下の最大の整数である、
集積回路。
【手続補正３】
【補正対象書類名】明細書
【補正対象項目名】０００１
【補正方法】変更
【補正の内容】
【０００１】
本開示は、通信装置、通信方法および集積回路に関する。
【手続補正４】
【補正対象書類名】明細書
【補正対象項目名】０００７
【補正方法】変更
【補正の内容】
【０００７】
本開示の非限定的な実施例は、免許不要な帯域での運用において、信号を適切に送受信できる通信装置、通信方法および集積回路の提供に資する。
【国際調査報告】
2020090998.tif 000013
2020090998.tif 000014
2020090998.tif 000015
2020090998.tif 000016